(57)【要約】      （修正有）【課題】高低差のある第１及び第２の地面間に、車両走行のためのスロープを車両走行の必要時にのみ容易に構成することができる鋼製スロープ装置を提供する。【解決手段】鋼製スロープ装置１は、第１の地面７１上に載置され、傾斜した路面を形成するスロープ組立体２と、スロープ組立体２の一端側上部に回転可能に取付けられたアプローチ板３と、を備える。アプローチ板３を展開して、その先端部を第２の地面７２上に載置することにより、第１の地面７１及び第２の地面７２間に、車両走行のためのスロープが構成される。アプローチ板３は、回転させるだけで展開できるため、容易にアプローチ板３を展開してスロープを構成することができる。また、車両走行の必要時にのみアプローチ板３を展開してスロープを構成すればよいため、第２の地面７２が道路である場合や、第１の地面７１と第２の地面７２との間に溝７３や川がある場合でも、許可を得る必要がない。【選択図】図１
0003206653.tif 000002
【実用新案登録請求の範囲】
【請求項１】
高低差のある第１及び第２の地面間を橋渡し、車両を走行可能とする鋼製スロープ装置であって、
一方の地面上に載置され、傾斜した路面を形成するスロープ組立体と、
前記スロープ組立体の一端側上部に回転可能又はスライド可能に取付けられたアプローチ板と、を備え、
前記アプローチ板を展開したとき、その先端部が他方の地面上に載置される、鋼製スロープ装置。
【請求項２】
前記アプローチ板は、複数のアプローチ単体から成り、それらが前記スロープ組立体に対して並んで設けられている、請求項１に記載の鋼製スロープ装置。
【請求項３】
前記スロープ組立体は、複数のスロープ組立単体から成り、それらを並び設けて１つの路面を構成する、請求項２に記載の鋼製スロープ装置。
【考案の詳細な説明】
【技術分野】
【０００１】
本考案は、高低差のある地面間を橋渡し、車両や人を走行可能とする鋼製スロープ装置に関するものである。
【背景技術】
【０００２】
従来から、第１及び第２の地面間に高低差がある場合、これらの地面間を車両を走行可能とするために、第１及び第２の地面間を橋渡しするスロープ装置を設置することが知られている（例えば特許文献１参照）。このスロープ装置は、傾斜した路面を形成するスロープ手段が第１の地面上に載置され、スロープ手段に繋がる縁石プレート手段が第２の地面上に載置されるようになっている。また、第１及び第２の地面間に、コンクリートで傾斜した路面を作製することも知られている。
【先行技術文献】
【特許文献】
【０００３】
【特許文献１】特開２００７−１１３３５６号公報
【考案の概要】
【考案が解決しようとする課題】
【０００４】
しかしながら、上述した特許文献１のスロープ装置は、縁石プレート手段を収納できるものではない。つまり、スロープ装置は、第１及び第２の地面間を常に橋渡した固定のものとなる。このため、第１及び第２の地面のうち、一方が自己所有の土地であり、他方が道路などの他人の土地である場合、許可を得なければ、スロープ装置を設置することができない。また、第１及び第２の地面間に溝や川がある場合、スロープ装置は固定橋の扱いとなってしまい、許認可なしでは、スロープ装置を設置することができない。また、コンクリートで傾斜した路面を作製する場合、高価であり、また、第１及び第２の地面のうち一方が自己所有の土地であり他方が他人の土地である場合、第１及び第２の地面間に隙間を設ける必要がある。
【０００５】
本考案は、上記課題を解決するものであり、高低差のある第１及び第２の地面間に、車両走行のためのスロープを車両走行の必要時にのみに容易に構成することができる鋼製スロープ装置を提供することを目的とする。
【課題を解決するための手段】
【０００６】
上記目的を達成するために本考案の鋼製スロープ装置は、高低差のある第１及び第２の地面間を橋渡し、車両を走行可能とするスロープ装置であって、一方の地面上に載置され、傾斜した路面を形成するスロープ組立体と、スロープ組立体の一端側上部に回転可能又はスライド可能に取付けられたアプローチ板と、を備え、アプローチ板を展開したとき、その先端部が他方の地面上に載置される、ものである。
【０００７】
本考案の鋼製スロープ装置において、アプローチ板は、複数のアプローチ単体から成り、それらがスロープ組立体に対して並んで設けられている、ことが好ましい。
【０００８】
また、本考案の鋼製スロープ装置において、スロープ組立体は、複数のスロープ組立単体から成り、それらを並び設けて１つの路面を構成する、ことが好ましい。
【考案の効果】
【０００９】
本考案によれば、アプローチ板を展開して、その先端部を他方の地面上に載置することにより、高低差のある地面間に、車両走行のためのスロープを構成することができる。しかも、アプローチ板は、回転又はスライドさせるだけで展開できるため、容易にアプローチ板を展開してスロープを構成することができる。また、車両走行の必要時にのみにアプローチ板を展開してスロープを構成すればよいため、他方の地面が道路である場合や、間に溝や川がある場合でも、許可を得る必要がない。
【図面の簡単な説明】
【００１０】
【図１】本考案の一実施形態に係る鋼製スロープ装置の斜視図。
【図２】同装置のアプローチ板を展開した状態の平面図。
【図３】同装置のアプローチ板を展開した状態の側面図。
【図４】同装置の設置例を示すアプローチ板を架け渡す前の斜視図。
【図５】同装置の設置例を示すアプローチ板を架け渡した後の斜視図。
【図６】同装置の変形例を示す平面図。
【図７】同装置の図６のＩ方向から見た側面図。
【図８】同装置の図６のＩＩ方向から見た側面図。
【考案を実施するための形態】
【００１１】
以下、本考案を具体化した実施形態による鋼製スロープ装置について図面を参照して説明する。図１乃至図３は、スロープ装置１の構成を示す。スロープ装置１は、高低差のある第１の地面７１及び第２の地面７２間を橋渡し、車両や人の走行を可能とするものである。本実施形態では、第１の地面７１は、自己所有の土地の地面であり、第２の地面７２は、例えば道路などの他人の土地の地面である。また、第１の地面７１は、第２の地面７２よりも低く、第１の地面７１と第２の地面７２との間に溝７３がある。スロープ装置１は、自己所有の土地の地面である第１の地面７１上に設置される。
【００１２】
スロープ装置１は、第１の地面７１上に載置され、傾斜した路面を形成するスロープ組立体２と、スロープ組立体２の一端側上部に回転可能に取付けられたアプローチ板３と、を備え、アプローチ板３を回転させて展開したとき、その先端部が第２の地面７２上に載置されて、車両走行のためのスロープを構成する。また、スロープ組立体２は、複数のスロープ組立単体２０から成り、それらを並び設けて１つの路面を構成している。本実施形態では、スロープ組立体２は、２つのスロープ組立単体２０を並び設けて１つの路面を構成している。アプローチ板３は、複数のアプローチ単体３０から成り、それらがスロープ組立体２に対して並んで設けられている。本実施形態では、アプローチ板３は、８つのアプローチ単体３０から成り、それらがスロープ組立体２に対して並んで設けられている。
【００１３】
スロープ組立単体２０は、鋼製の鉄板２１及び複数の枠体２２によって中空のパレット状に構成されている。スロープ組立単体２０は、鉄板２１が第１の地面７１に対して傾斜するように、支柱２３によって支えられている。スロープ組立単体２０の側縁部には、車両の脱落防止用の壁２４が設けられている。また、鉄板２１の表面には、車両の滑り止め用の梨地２５が形成されている。また、鉄板２１の裏面には、補強用のリブ２６、２７が縦横に設けられており、また、撓み防止用の脚２８が設けられている。また、枠体２２の外側面には、補強用のリブ２９が設けられている。２つのスロープ組立単体２０は、互いに分割されており、壁２４の位置が対称で異なる以外は、同様の構成である。２つのスロープ組立単体２０を並設することにより、１つのスロープ組立体２を構成している。
【００１４】
アプローチ単体３０は、鋼製であり、丁番（ヒンジ）３１を介して、スロープ組立体２の一端側上部に取付けられている。従って、アプローチ単体３０は、丁番３１を支点に回転し、スロープ組立体２の一端側上部を中心に回転可能になっている。アプローチ単体３０は、車両が走行しない不使用時には、スロープ組立体２上に重なった収納状態とされ、車両が走行する使用時には、収納状態から回転させることにより、スロープ組立体２から進展した展開状態とされる。展開状態では、収納状態から上下と下面とが反転した状態となって、先端部が第２の地面７２上に載置される。アプローチ単体３０の先端部は、第２の地面７２上に載置されたときに第２の地面７２との角度が小さくなるように、展開状態において下方に向けて僅かに屈曲されている。また、アプローチ単体３０には、人がアプローチ単体３０を収納状態から展開状態に操作し易くするための把手３２が設けられている。把手３２は、アプローチ単体３０の収納状態において上面側に設けられている。アプローチ単体３０を収納状態から展開状態にするとき、把手３２を把んで引っ張り上げることにより、アプローチ単体３０を回転させて展開させる。また、車両の滑り止め用の梨地３３がアプローチ単体３０の展開状態において上面側に形成されている。また、補強用のリブ３４がアプローチ単体３０の展開状態において下面側に設けられている。全てのアプローチ単体３０を展開して、すなわち、アプローチ板３を展開して、その先端部を第２の地面７２上に載置することにより、鉄板２１及びアプローチ板３によって、高低差のある第１の地面７１及び第２の地面７２間が橋渡され、車両が走行可能となる。
【００１５】
本実施形態においては、第１の地面７１が低い場合を示したが、これに限らず、逆に、第２の地面７２の方が第１の地面７１よりも低い場合にあっても、若干の構成を工夫することにより、同様に、適用することができる。すなわち、その場合には、第１の地面７１の第２の地面７２にアプローチする領域を適宜切削するなどの方策を施して、スロープ装置１としては、アプローチ板３の方が下がるスロープ組立体２とすればよい。
【００１６】
本実施形態のスロープ装置１によれば、アプローチ板３を展開して、その先端部を第２の地面７２上に載置することにより、高低差のある第１の地面７１及び第２の地面７２間に、車両走行のためのスロープを構成することができる。しかも、アプローチ板３は、回転させるだけで展開できるため、容易にアプローチ板３を展開してスロープを構成することができる。また、車両走行の必要時にのみにアプローチ板３を展開してスロープを構成すればよいため、第２の地面７２が道路である場合や、第１の地面７１と第２の地面７２との間に溝７３や川がある場合でも、許可を得る必要がない。また、アプローチ板３は、複数のアプローチ単体３０から成るため、１つのアプローチ単体３０が軽くなり、アプローチ板３を操作し易い。また、スロープ組立体２は、複数のスロープ組立単体２０から成るため、１つのスロープ組立単体２０が軽く、スロープ装置１の設置工事が容易である。また、コンクリートで作製していないので、安価であり、コストダウンを図ることができる。
【００１７】
図４及び図５は、スロープ装置１の設置例を示す。図４は、アプローチ板３が収納され、かつ、出入口８２が閉じられた状態を示し、図５は、アプローチ板３が展開され、かつ、出入口８２が開けられた状態を示している。この設置例では、第１の地面７１上に、柵８１が設置されて、出入口８２が構成されている。スロープ装置１は、第２の地面７２上の出入口８２に設置され、スライド式の門扉８３がスロープ装置１のスロープ組立体２の上方をスライドして、出入口８２を開閉するようになっている。門扉８３は、観音開き式であってもよい。なお、このような設置例において、門扉８３が観音開き式の場合、スロープ組立体２に、門扉８３を閉じた状態に保つための落とし棒を受け入れる部材を設けてもよい。また、門扉８３がアプローチ板３の上方で閉じられる場合には、アプローチ板３に、落とし棒を受け入れる部材を設けてもよい。
【００１８】
図６乃至図８は、スロープ装置１の変形例を示す。この変形例では、図６に太線で囲んで示すように、スロープ組立体２は、傾斜した路面を形成する２つのスロープ組立単体２０Ａ、２０Ｂと、平坦で屈曲した路面を形成する２つのスロープ組立単体２０Ｃ、２０Ｄの、合計４つのスロープ組立単体に分割されている。スロープ組立単体２０Ａ、２０Ｂは、上記実施形態におけるスロープ組立単体２０と同様の構成である。スロープ組立単体２０Ｃ、２０Ｄは、鋼製の鉄板２１及び複数の枠体２２によって中空のパレット状に構成されており、その鉄板２１がスロープ組立単体２０Ａ、２０Ｂの鉄板２１の一端側上部と同じ高さで第１の地面７１に対して平行になるように、支柱２３によって支えられている。スロープ組立単体２０Ｃ、２０Ｄの鉄板２１は、上面視で途中で屈曲した形状をしている。スロープ組立単体２０Ｄの鉄板２１は、スロープ組立単体２０Ｃの鉄板２１よりも長い。スロープ組立単体２０Ａ、２０Ｂ、２０Ｃ、２０Ｄを並設することにより、途中まで傾斜しかつ途中から平坦で屈曲した１つの路面が構成される。アプローチ単体３０は、丁番３１を介して、スロープ組立単体２０Ｃ、２０Ｄの一端側に取付けられており、従って、スロープ組立体２の一端側上部を中心に回転可能になっている。他の構成については、上記実施形態と同様である。このようなスロープ装置１によれば、カーブしている出入口に適用可能である。
【００１９】
なお、本考案は、上記実施形態の構成に限られず、種々の変形が可能である。例えば、アプローチ板３は、回転可能に代えて、スロープ組立体２に設けたガイド部材にスライド自在に支持することにより、スロープ組立体２にスライド可能としてもよい。また、アプローチ板３は、任意の複数のアプローチ単体３０から成っていてもよく、また、複数のアプローチ単体に分割されておらず、一体に構成されたものであってもよい。また、スロープ組立体２は、任意の複数のスロープ組立単体２０から成っていてもよく、また、複数のスロープ組立単体２０に分割されておらず、一体に構成されたものであってもよい。
【符号の説明】
【００２０】
１    スロープ装置
２    スロープ組立体
３    アプローチ板
２０    スロープ組立単体
２１    鉄板
２２    枠体
２３    支柱
２４    脱落防止用の壁
２５、３３    滑り止め用の梨地
３０    アプローチ単体
３１    丁番
３２    把手
７１    第１の地面
７２    第２の地面
７３    溝
【図１】
0003206653.tif 000003
【図２】
0003206653.tif 000004
【図３】
0003206653.tif 000005
【図４】
0003206653.tif 000006
【図５】
0003206653.tif 000007
【図６】
0003206653.tif 000008
【図７】
0003206653.tif 000009
【図８】
0003206653.tif 000010